(57)【要約】【課題】  実イメージを基に作成されたサムネイルに印刷属性を表す画像を付加して表示するようにして、印刷属性付きの文書を容易に区別できるようにする。【解決手段】  ファイル内に格納されているイメージ画像を取得するとともに、前記取得したイメージ画像の印刷属性を取得し、前記イメージ画像の印刷属性から縮小サイズの画像であるサムネイル画像を作成するとともに、前記印刷属性の状態を視覚的に表現した印刷属性イメージを作成して、これらの縮小サイズの画像及び印刷属性イメージを表示画面上に表示できるようにする。【選択図】  図４
2005128876.tif 000002
【特許請求の範囲】
【請求項１】
ファイル内に格納されているイメージ画像を取得するイメージ画像取得手段と、
前記イメージ画像取得手段により取得したイメージ画像の印刷属性を前記ファイルから取得する印刷属性取得手段と、
前記印刷属性取得手段により取得したイメージ画像の印刷属性から縮小サイズの画像であるサムネイル画像を作成するサムネイル画像作成手段と、
前記印刷属性取得手段により取得した印刷属性の状態を視覚的に表現した印刷属性イメージを作成する印刷属性イメージ作成手段と、
前記サムネイル画像作成手段により作成した縮小サイズの画像、及び前記印刷属性イメージ作成手段により作成した印刷属性イメージを表示画面上に表示する画像表示手段とを有することを特徴とする印刷文書管理装置。
【請求項２】
ファイル内に格納されているイメージ画像を取得するイメージ画像取得手段と、
前記イメージ画像取得手段により取得したイメージ画像の印刷属性を前記ファイルから取得する印刷属性取得手段と、
前記印刷属性取得手段により取得したイメージ画像の印刷属性から縮小サイズの画像であるサムネイル画像を作成するサムネイル画像作成手段と、
前記印刷属性取得手段により取得した印刷属性の状態を視覚的に表現した印刷属性イメージを作成する印刷属性イメージ作成手段と、
前記サムネイル画像作成手段により作成した縮小サイズの画像、及び前記印刷属性イメージ作成手段により作成した印刷属性イメージを表示画面上に表示する画像表示手段と、
前記画像表示手段により表示画面上に表示された印刷属性イメージにおいて、印刷属性の変更を要求するための指示が行なわれた場合に、前記変更要求された属性を印刷属性管理装置に通知する印刷属性変更通知手段と、
前記印刷属性管理装置から送られてくる文書データを受信する文書データ受信手段とを有することを特徴とする印刷文書管理装置。
【請求項３】
前記印刷属性イメージは、「Ｚ折属性ボタン」、「製本属性ボタン」、「両面属性ボタン」、「インサータ紙挿入ボタン」、「タブ紙挿入ボタン」、「バリアブル属性付きボタン」、「パンチ属性付きボタン」、「ステープル属性付きボタン」の内、何れか複数を含むバー表示であることを特徴とする請求項１または２に記載の印刷文書管理装置。
【請求項４】
ファイル内に格納されているイメージ画像を取得するイメージ画像取得工程と、
前記イメージ画像取得工程により取得したイメージ画像の印刷属性を前記ファイルから取得する印刷属性取得工程と、
前記印刷属性取得工程により取得したイメージ画像の印刷属性から縮小サイズの画像であるサムネイル画像を作成するサムネイル画像作成工程と、
前記印刷属性取得工程により取得した印刷属性の状態を視覚的に表現した印刷属性イメージを作成する印刷属性イメージ作成工程と、
前記サムネイル画像作成工程により作成した縮小サイズの画像、及び前記印刷属性イメージ作成工程により作成した印刷属性イメージを表示画面上に表示する画像表示工程とを有することを特徴とする印刷文書管理方法。
【請求項５】
ファイル内に格納されているイメージ画像を取得するイメージ画像取得工程と、
前記イメージ画像取得工程により取得したイメージ画像の印刷属性を前記ファイルから取得する印刷属性取得工程と、
前記印刷属性取得工程により取得したイメージ画像の印刷属性から縮小サイズの画像であるサムネイル画像を作成するサムネイル画像作成工程と、
前記印刷属性取得工程により取得した印刷属性の状態を視覚的に表現した印刷属性イメージを作成する印刷属性イメージ作成工程と、
前記サムネイル画像作成工程により作成した縮小サイズの画像、及び前記印刷属性イメージ作成工程により作成した印刷属性イメージを表示画面上に表示する画像表示工程と、
前記画像表示工程により表示画面上に表示された印刷属性イメージにおいて、印刷属性の変更を要求するための指示が行なわれた場合に、前記変更要求された属性を印刷属性管理装置に通知する印刷属性変更通知工程と、
前記印刷属性管理装置から送られてくる文書データを受信する文書データ受信工程とを有することを特徴とする印刷文書管理方法。
【請求項６】
前記印刷属性イメージは、「Ｚ折属性ボタン」、「製本属性ボタン」、「両面属性ボタン」、「インサータ紙挿入ボタン」、「タブ紙挿入ボタン」、「バリアブル属性付きボタン」、「パンチ属性付きボタン」、「ステープル属性付きボタン」の内、何れか複数を含むバー表示であることを特徴とする請求項４または５に記載の印刷文書管理方法。
【請求項７】
ファイル内に格納されているイメージ画像を取得するイメージ画像取得工程と、
前記イメージ画像取得工程により取得したイメージ画像の印刷属性を前記ファイルから取得する印刷属性取得工程と、
前記印刷属性取得工程により取得したイメージ画像の印刷属性から縮小サイズの画像であるサムネイル画像を作成するサムネイル画像作成工程と、
前記印刷属性取得工程により取得した印刷属性の状態を視覚的に表現した印刷属性イメージを作成する印刷属性イメージ作成工程と、
前記サムネイル画像作成工程により作成した縮小サイズの画像、及び前記印刷属性イメージ作成工程により作成した印刷属性イメージを表示画面上に表示する画像表示工程と、
前記画像表示工程により表示画面上に表示された印刷属性イメージにおいて、印刷属性の変更を要求するための指示が行なわれた場合に、前記変更要求された属性を印刷属性管理装置に通知する印刷属性変更通知工程と、
前記印刷属性管理装置から送られてくる文書データを受信する文書データ受信工程とをコンピュータに実行させることを特徴とするコンピュータプログラム。
【請求項８】
前記請求項７に記載のコンピュータプログラムを記録したことを特徴とするコンピュータ読み取り可能な記録媒体。
【発明の詳細な説明】
【技術分野】
【０００１】
本発明は、印刷属性を保持するファイルを文書管理システムに保管した場合の、サムネイル表示方法と、印刷属性の変更方法に関するものである。
【背景技術】
【０００２】
従来の文書管理システムでは、例えば、特許文献１に記載されているように、イメージファイルや、アプリケーションファイルを格納し、それらに対応したサムネイル画像を表示する機能を有していた。
【０００３】
【特許文献１】特開平１１−２２４２５９号公報
【発明の開示】
【発明が解決しようとする課題】
【０００４】
しかしながら、印刷属性（Z折、ステープル、パンチ）をそのままサムネイルに適用することはなかったので、文書管理システム内で印刷属性付きの文書を区別するためには、プロパティを調べたり、リスト表示モードで、その属性を表示させたりしなければならなかった。
【０００５】
また、その文書の印刷属性を変更するためには、その文書を製本アプリケーションでオープンして作業を行なわなければならなかった。
本発明は上述の問題点にかんがみ、実イメージを基に作成されたサムネイルに印刷属性を表す画像を付加して表示するようにして、印刷属性付きの文書を容易に区別できるようにすることを第１の目的とする。
また、文書の製本アプリケーションをオープンさせることなく、文書の印刷属性を容易に変更できるようにすることを第２の目的とする。
【課題を解決するための手段】
【０００６】
本発明の印刷文書管理装置は、ファイル内に格納されているイメージ画像を取得するイメージ画像取得手段と、前記イメージ画像取得手段により取得したイメージ画像の印刷属性を前記ファイルから取得する印刷属性取得手段と、前記印刷属性取得手段により取得したイメージ画像の印刷属性から縮小サイズの画像であるサムネイル画像を作成するサムネイル画像作成手段と、前記印刷属性取得手段により取得した印刷属性の状態を視覚的に表現した印刷属性イメージを作成する印刷属性イメージ作成手段と、前記サムネイル画像作成手段により作成した縮小サイズの画像、及び前記印刷属性イメージ作成手段により作成した印刷属性イメージを表示画面上に表示する画像表示手段とを有することを特徴としている。
また、本発明の他の特徴とするところは、ファイル内に格納されているイメージ画像を取得するイメージ画像取得手段と、前記イメージ画像取得手段により取得したイメージ画像の印刷属性を前記ファイルから取得する印刷属性取得手段と、前記印刷属性取得手段により取得したイメージ画像の印刷属性から縮小サイズの画像であるサムネイル画像を作成するサムネイル画像作成手段と、前記印刷属性取得手段により取得した印刷属性の状態を視覚的に表現した印刷属性イメージを作成する印刷属性イメージ作成手段と、前記サムネイル画像作成手段により作成した縮小サイズの画像、及び前記印刷属性イメージ作成手段により作成した印刷属性イメージを表示画面上に表示する画像表示手段と、前記画像表示手段により表示画面上に表示された印刷属性イメージにおいて、印刷属性の変更を要求するための指示が行なわれた場合に、前記変更要求された属性を印刷属性管理装置に通知する印刷属性変更通知手段と、前記印刷属性管理装置から送られてくる文書データを受信する文書データ受信手段とを有することを特徴としている。
また、本発明のその他の特徴とするところは、前記印刷属性イメージは、「Ｚ折属性ボタン」、「製本属性ボタン」、「両面属性ボタン」、「インサータ紙挿入ボタン」、「タブ紙挿入ボタン」、「バリアブル属性付きボタン」、「パンチ属性付きボタン」、「ステープル属性付きボタン」の内、何れか複数を含むバー表示であることを特徴としている。
【０００７】
本発明の印刷文書管理方法は、ファイル内に格納されているイメージ画像を取得するイメージ画像取得工程と、前記イメージ画像取得工程により取得したイメージ画像の印刷属性を前記ファイルから取得する印刷属性取得工程と、前記印刷属性取得工程により取得したイメージ画像の印刷属性から縮小サイズの画像であるサムネイル画像を作成するサムネイル画像作成工程と、前記印刷属性取得工程により取得した印刷属性の状態を視覚的に表現した印刷属性イメージを作成する印刷属性イメージ作成工程と、前記サムネイル画像作成工程により作成した縮小サイズの画像、及び前記印刷属性イメージ作成工程により作成した印刷属性イメージを表示画面上に表示する画像表示工程とを有することを特徴としている。
また、本発明の他の特徴とするところは、ファイル内に格納されているイメージ画像を取得するイメージ画像取得工程と、前記イメージ画像取得工程により取得したイメージ画像の印刷属性を前記ファイルから取得する印刷属性取得工程と、前記印刷属性取得工程により取得したイメージ画像の印刷属性から縮小サイズの画像であるサムネイル画像を作成するサムネイル画像作成工程と、前記印刷属性取得工程により取得した印刷属性の状態を視覚的に表現した印刷属性イメージを作成する印刷属性イメージ作成工程と、前記サムネイル画像作成工程により作成した縮小サイズの画像、及び前記印刷属性イメージ作成工程により作成した印刷属性イメージを表示画面上に表示する画像表示工程と、前記画像表示工程により表示画面上に表示された印刷属性イメージにおいて、印刷属性の変更を要求するための指示が行なわれた場合に、前記変更要求された属性を印刷属性管理装置に通知する印刷属性変更通知工程と、前記印刷属性管理装置から送られてくる文書データを受信する文書データ受信工程とを有することを特徴としている。
また、本発明のその他の特徴とするところは、前記印刷属性イメージは、「Ｚ折属性ボタン」、「製本属性ボタン」、「両面属性ボタン」、「インサータ紙挿入ボタン」、「タブ紙挿入ボタン」、「バリアブル属性付きボタン」、「パンチ属性付きボタン」、「ステープル属性付きボタン」の内、何れか複数を含むバー表示であることを特徴としている。
【０００８】
本発明のコンピュータプログラムは、ファイル内に格納されているイメージ画像を取得するイメージ画像取得工程と、前記イメージ画像取得工程により取得したイメージ画像の印刷属性を前記ファイルから取得する印刷属性取得工程と、前記印刷属性取得工程により取得したイメージ画像の印刷属性から縮小サイズの画像であるサムネイル画像を作成するサムネイル画像作成工程と、前記印刷属性取得工程により取得した印刷属性の状態を視覚的に表現した印刷属性イメージを作成する印刷属性イメージ作成工程と、前記サムネイル画像作成工程により作成した縮小サイズの画像、及び前記印刷属性イメージ作成工程により作成した印刷属性イメージを表示画面上に表示する画像表示工程と、前記画像表示工程により表示画面上に表示された印刷属性イメージにおいて、印刷属性の変更を要求するための指示が行なわれた場合に、前記変更要求された属性を印刷属性管理装置に通知する印刷属性変更通知工程と、前記印刷属性管理装置から送られてくる文書データを受信する文書データ受信工程とをコンピュータに実行させることを特徴としている。
【０００９】
本発明の記録媒体は、前記に記載のコンピュータプログラムを記録したことを特徴としている。
【００１０】
本発明は前記技術手段を有するので、印刷属性付きファイルから取得した実イメージを基に作成したサムネイルに、印刷属性（Z折、パンチ等）を表示した印刷属性イメージをサムネイルに付加して表示することが可能になる。また、前記印刷属性イメージの所定の個所をクリックすることで印刷属性を変更した文書を作成して保管することが可能になった。
【発明の効果】
【００１１】
本発明によれば、ファイル内に格納されているイメージ画像を取得するとともに、前記取得したイメージ画像の印刷属性を取得し、前記イメージ画像の印刷属性から縮小サイズの画像であるサムネイル画像、及び前記印刷属性の状態を視覚的に表現した印刷属性イメージを作成して、これらの縮小サイズの画像及び印刷属性イメージを表示画面上に表示するようにしたので、印刷属性付きの文書を容易に区別することを実現できる。
また、本発明の他の特徴によれば、文書の製本アプリケーションをオープンさせることなく、文書の印刷属性を容易に変更することができる。
【発明を実施するための最良の形態】
【００１２】
次に、本発明について図面を参照して詳細に説明する。
図３は、本発明の一実施の形態を示し、印刷属性付き文書のサムネイル画像表示方法、印刷属性更新方法が適用される情報処理システムの構成を示すブロック図である。この情報システムはパーソナルコンピュータ（以後、ＰＣと称する）２００から構成されている。前記ＰＣ２００の詳細部は、表示装置２０１と、入力装置２０２と、中央処理装置２０３と、外部記憶装置２０４と、メモリ２０５、外部インタフェース２０６とから構成されている。
【００１３】
図４は、本発明の一実施の形態の印刷属性付き文書のサムネイル画像表示方法、印刷属性更新方法が適用される文書管理システム、または、データベースシステム、または、ファイルシステムの格納領域内の画像一覧を表示するメインウインドウ３００の概略を示す図である。
【００１４】
図４において、３０１は、格納領域（α、β、γ）の内、第１の格納領域α内をサムネイル形式で示し、３つのオブジェクト（Ａ、Ｂ、Ｃ）があるとする。３０２は、同格納領域α内をリスト形式で示したものである。３０３は、表示する格納領域を変更するためのボタンである。３０４は、サムネイル形式とリスト形式を選択するためのボタンである。
【００１５】
ここで、本実施の形態おける、サムネイル画像の例を説明する。３０１内のサムネイル表示領域において、文書ＡはＺ折属性を持つファイルである。また、文書Ｂは製本属性を持つファイルであり、文書Ｇは製本属性を持つファイルである。これらの属性は、重複してもかまわないが、相反する属性は持たないようになされている。なお、こうした印刷属性付きファイルは、通常製本システムから提供される。
【００１６】
図５は、印刷属性付きファイルフォーマットの一例を示す図であり、本実施の形態のサムネイル画像表示装置、印刷属性更新方法で扱う印刷属性付きファイルのフォーマットを示している。実画像、解像度、イメージの方向イメージのサイズと印刷属性に従って、そのサムネイルを作成していくものとする。更に、ファイル内の印刷属性を示すバーを作成する。本実施の形態においては、これらのサムネイルとバーとをサムネイルビューに表示することで、印刷属性付き文書をわかりやすく表示することを可能にしている。
【００１７】
図６は、印刷属性表示バーの一例を説明する図である。この例では、Ｚ折属性ボタン５０１、製本Ｚ折属性ボタン５０２、両面Ｚ折属性ボタン５０３、インサータ紙挿入ボタン５０４、タブ挿入ボタン５０５、バリアブル属性付きボタン５０６、パンチ属性付きボタン５０７、ステープル属性付きボタン５０８を示している。
【００１８】
１つの文書が複数の印刷属性を持つ場合は、それに対応するすべての印刷属性ボタンが点灯することで判別を容易にしている。また、属性ボタン５０１〜５０８の何れかを押下して、その属性の変更要求を製本システムに要求することと、その結果を製本システムから取得することを可能にしたものである。
【００１９】
図７は、本実施の形態で説明される製本システム６０１と、文書管理システム６０５とから成る印刷文書処理システム６００のモジュール構成例を示す図である。製本システム６０１は、ユーザインタフェース制御部６０２、製本システム制御部６０３、他システムとのインタフェース部６０４とから構成されている。
【００２０】
また、文書管理システム６０５は、ユーザインタフェース制御部６０６、他システムとのインタフェース部６０７、データベース制御部６０８、サムネイル作成部６０９、印刷属性表示バー作成部６１０、データベースシステム６１１とから構成される。また、データベース制御部６０８から、データベースシステム６１１に接続している。
【００２１】
本実施の形態では、データベースシステム６１１には、印刷属性付き文書６１２とサムネイル６１３を明示的に格納するようにしている。印刷属性付き文書には、イメージ文書と印刷属性が保管されており、印刷属性は印刷属性付き文書から取得できるので、これを特には明示的に保管していない。なお、製本システムの概要は既知のものとし、処理の中心は製本システム制御部６０３が行なうものとする。
【００２２】
なお、プログラムは、ＰＣ・ＷＳ側の外部記憶装置（ＦＤ、ＣＤ−ＲＯＭ、ＲＯＭ、磁気テープ等）、及びプリンタ側の記録媒体に記憶されており、そのプログラムはそれぞれの中央処理装置内の読み取り装置（図示せず）によって、記憶装置（メモリ）に記憶させてもよい。
【００２３】
また、本発明はシステムあるいは装置にプログラムを供給することによって実施される場合にも適用されることはいうまでもない。この場合、本発明に係るプログラムを格納した記録媒体が、本発明を構成することになる。そして、該記録媒体がらそのプログラムをシステムあるいは装置に読み込ませることによって、そのシステムあるいは装置が予め定められた方法で動作する。
【００２４】
次に、図１、図２、図４、図６及び図７を参照しながら、本実施の形態のシステムの中央処理装置２０３が行なう印刷属性付きファイルの属性更新処理と、サムネイル画像作成・保管・表示処理を説明する。
【００２５】
最初に、ユーザが図４の印刷付き文書のサムネイルに付随して表示されている、印刷属性バーの１つの属性ボタンをクリックして、印刷属性を変更しようとした場合、すなわち、図６の属性ボタン５０１〜５０８の何れか１つのボタンをクリックした場合を説明する。
【００２６】
最初のステップＳ１０１で、ユーザインタフェース制御部６０６を介して取得されるクリックされたサムネイル画像に該当する印刷属性付き文書を、データベース制御部６０８を介して、データベースシステム６１１から取得する。
【００２７】
次に、ステップＳ１０２で、ステップＳ１０１で取得した印刷属性付き文書から印刷属性を取得する。
次に、ステップＳ１０３で、ユーザインタフェース制御部６０６を介して、図６でユーザがクリックした属性情報を取得する。その後、ステップＳ１０４で、他システムとのインタフェース部６０４、６０７を介して、ステップＳ１０１で取得した印刷属性付き文書と、ステップＳ１０２及びステップＳ１０３の処理で取得した、ユーザが希望する印刷属性を、製本システム６０１に送信して応答を待つ。
【００２８】
次に、上記のリクエストに対する応答を受信する処理手順を図２のフローチャートを参照しながら説明する。
最初のステップＳ１１１で、他システムとのインタフェース部６０４、６０７を介して、製本システム６０１から更新された印刷属性付き文書を受信する。
次に、ステップＳ１１２で、ステップＳ１１１で受信した印刷属性付き文書からイメージ文書データを取得し、ステップＳ１１３で同印刷属性文書から印刷属性を取得する。
【００２９】
次に、ステップＳ１１４で、サムネイル作成部６０９を使って、ステップＳ１１２で取得したイメージ文書と、ステップＳ１１３で取得した印刷属性とからサムネイル画像を作成する。次に、ステップＳ１１５で、印刷属性表示バー作成部６１０を使って、ステップＳ１１３で取得した印刷属性から印刷属性表示バー５００を作成する。
【００３０】
本実施の形態においては、上記印刷属性表示バー５００を「Ｚ折属性ボタン」、「製本属性ボタン」、「両面属性ボタン」、「インサータ紙挿入ボタン」、「タブ紙挿入ボタン」、「バリアブル属性付きボタン」、「パンチ属性突きボタン」、「ステープル属性付きボタン」等を表示するバーとして示している。
【００３１】
次に、ステップＳ１１６で、ステップＳ１１１で受信した印刷属性付き文書を、データベース制御部６０８を介して、データベースシステム６１１内の印刷属性付き文書６１２として保管する。
【００３２】
次に、ステップＳ１１７に進み、ステップＳ１１４で作成したサムネイル画像を、データベース制御部６０８を介して、データベースシステム６１１内のサムネイル画像６１３として保管する。次に、ステップＳ１１８に進み、ステップＳ１１４で作成したサムネイル画像とステップＳ１１５で作成した印刷属性表示バー５００とを、ユーザインタフェース制御部６０６を介して、サムネイルビュー３０１に表示して処理を終了する。なお、製本システム内の動作は既知のものとし、本実施の形態においては詳細な説明を割愛する。
【００３３】
[他の実施の形態]
前述した実施の形態では、データベースシステム内に、印刷属性付き文書とサムネイル画像のみを保管し、印刷属性は印刷属性付き文書からその都度取得する例を示したが、印刷属性も印刷属性付き文書とサムネイル画像と一対一に対応させてデータベースに保管するようにしてもよい。そのようにすると、再描画を早く行なうことが可能になるが、データベースの容量が増える問題が生じる。したがって、データベースシステムに余裕がある場合には、このような方法を採用すればよい。
【００３４】
なお、本発明は複数の機器（例えば、ホストコンピュータ，インタフェース機器，リーダ，プリンタなど）から構成されるシステムに適用しても、一つの機器からなる装置（例えば、複写機，ファクシミリ装置など）に適用してもよい。
【００３５】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００３６】
この場合、記録媒体から読出されたプログラムコード自体が前述した実施形態の機能を実現することになり、そのプログラムコードを記憶した記録媒体は本発明を構成することになる。
【００３７】
プログラムコードを供給するための記録媒体としては、例えばフレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００３８】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００３９】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００４０】
【図１】本発明の実施の形態を示し、サムネイル画像の作成、保管、表示処理手順の一例を示すフローチャートである。
【図２】本発明の実施の形態を示し、サムネイル画像の作成、保管、表示処理手順の一例を示すフローチャートである。
【図３】本実施の形態のサムネイル画像の作成方法が適用される情報システムの構成の一部を示すブロック図である。
【図４】本実施の形態のサムネイル画像を表示するメインウインドウの一例を示す図である。
【図５】本実施の形態の印刷属性付きファイルのフォーマットの一例を示す図である。
【図６】印刷属性バーの一例を説明する図である。
【図７】本実施の形態の製本システムと、文書管理システムのモジュールの構成を示す図である。
【符号の説明】
【００４１】
２００  ＰＣ
２０１  表示装置
２０２  入力装置
２０３  中央処理装置
２０４  外部記憶装置
２０５  メモリ
２０６  外部インタフェース
３０１  メインウインドウ（格納領域α内をサムネイル表示）
３０２  メインウインドウ（格納領域α内をリスト表示）
３０３  格納領域を選択するボタン
３０４  表示方法を選択するボタン
３０５  印刷属性表示バー
４００  印刷属性付きファイルフォーマット
５００  印刷属性表示バーの説明
６００  印刷文書処理システム
【図１】
2005128876.tif 000003
【図２】
2005128876.tif 000004
【図３】
2005128876.tif 000005
【図４】
2005128876.tif 000006
【図５】
2005128876.tif 000007
【図６】
2005128876.tif 000008
【図７】
2005128876.tif 000009